(57)【要約】  本発明は、標準化されたフォーマットに従って情報を保存するための記録担体に関する。前記記録担体は、前記記録担体上の位置を示すアドレスデータビットを有するアドレス情報と、アドレスデータ中の誤りを検出するための誤り保護パリティビットとを有し、前記アドレスデータビットは標準化されたフォーマットに従って配置される。前記誤り保護パリティビットは、標準化されたフォーマットに従った誤り保護パリティビットから逸脱する。本発明は更に、本発明による記録担体を読み出すための装置に関する。
2005516326.tif 000002
【特許請求の範囲】
【請求項１】
標準化されたフォーマットに従った情報を保存するための記録担体であって、前記記録担体はアドレス情報を有し、前記アドレス情報は、
前記記録担体上の位置を示し、前記標準化されたフォーマットに従って配置されるアドレスデータビットと、
前記アドレスデータ中の誤りを検出するための誤り保護パリティビットと、
を有し、前記誤り保護パリティビットは前記標準化されたフォーマットに従う誤り保護パリティビットから逸脱するものである記録担体。
【請求項２】
前記誤り保護パリティビットは、前記標準化されたフォーマットに従う検査多項式から逸脱した検査多項式を利用して算出される、請求項１に記載の記録担体。
【請求項３】
前記標準化されたフォーマットはＣＤ−Ｒフォーマットであり、利用される前記検査多項式は、
Ｐ（ｘ）＝Ｘ１４＋Ｘ１２＋Ｘ１１＋Ｘ１０＋Ｘ４＋Ｘ３＋Ｘ２＋１
である、請求項２に記載の記録担体。
【請求項４】
前記標準化されたフォーマットはＣＤ−Ｒフォーマットであり、全てではない前記誤り保護パリティビットが反転される、請求項１乃至３のいずれか一項に記載の記録担体。
【請求項５】
最初の１０個の前記誤り保護パリティビットが反転され、最後の４個の前記誤り保護パリティビットが反転されない、請求項４に記載の記録担体。
【請求項６】
前記アドレス情報は、プリグルーブをウォブル状にすることにより前記記録担体に記録される、請求項１に記載の記録担体。
【請求項７】
前記アドレス情報はプリピットとして前記記録担体に記録される、請求項１に記載の記録担体。
【請求項８】
請求項１乃至７のいずれか一項に記載の記録担体に情報を保存するための装置であって、前記記録担体上に存在するアドレスデータビット及び誤り保護パリティビットを読み取るための読み取り手段と、アドレス情報中の誤りを検出するための誤り検出手段と、前記記録担体に情報を保存するための書き込み手段とを有する装置において、前記誤り検出手段は、標準化されたフォーマットに従う誤り保護パリティビットから逸脱した誤り保護パリティビットを利用して、前記アドレスデータビット中の誤りを検出するように構成される装置。
【請求項９】
前記誤り検出手段は、前記標準化されたフォーマットに従う検査多項式から逸脱した検査多項式を利用して、前記アドレス情報中の誤りを検出するように構成される、請求項８に記載の装置。
【請求項１０】
前記標準化されたフォーマットはＣＤ−Ｒフォーマットであり、利用される前記検査多項式は、
Ｐ（Ｘ）＝Ｘ１４＋Ｘ１２＋Ｘ１１＋Ｘ１０＋Ｘ４＋Ｘ３＋Ｘ２＋１
である、請求項９に記載の装置。
【請求項１１】
前記標準化されたフォーマットはＣＤ−Ｒフォーマットであり、全てではない前記誤り保護パリティビットが反転される、請求項８乃至１０のいずれか一項に記載の装置。
【請求項１２】
最初の１０個の前記誤り保護パリティビットが反転され、最後の４個の前記誤り保護パリティビットが反転されない、請求項１１に記載の装置。
【発明の詳細な説明】
【技術分野】
【０００１】
本発明は、標準化されたフォーマットに従った情報を保存するための記録担体であって、前記記録担体はアドレス情報を有し、前記アドレス情報は、前記記録担体上の位置を示し、前記標準化されたフォーマットに従って配置されるアドレスデータビットと、  前記アドレスデータ中の誤りを検出するための誤り保護パリティビットとを有する記録担体に関する。
【０００２】
本発明は更に、前記記録担体に情報を保存するための装置であって、前記記録担体上に存在するアドレスデータビット及び誤り保護パリティビットを読み取るための読み取り手段と、アドレス情報中の誤りを検出するための誤り訂正手段と、前記記録担体に情報を保存するための書き込み手段とを有する装置に関する。
【背景技術】
【０００３】
例えば標準化された記録可能なコンパクトディスク（ＣＤ−Ｒディスク）又は再書き込み可能なコンパクトディスク（ＣＤ−ＲＷディスク）のような記録可能な又は再書き込み可能なタイプの記録担体は良く知られている。これらの記録担体は、選択された位置において連続的に又はランダム的に予め形成されたトラック中に情報信号を書き込むことにより、記録装置中の情報を供給される。例えばＣＤ−Ｒディスクは、例えば消費者向けオーディオレコーダ（スタンドアロン型の装置）のために、及び規定されない一般的な用途のためにのように、種々の用途のために利用される。消費者向けオーディオレコーダにおける利用のためのＣＤ−Ｒディスクは時にはオーディオＣＤ−Ｒディスクと呼ばれ、規定されない一般的な用途において利用されるＣＤ−Ｒディスクは時にはデータＣＤ−Ｒディスクと呼ばれる。
【０００４】
オーディオＣＤ−Ｒディスクに記録するための消費者向けオーディオレコーダは、データＣＤ−Ｒディスクにオーディオ情報を記録することを拒絶する。その理由は、当初多くの国においてオーディオ課金がオーディオＣＤ−Ｒにのみ設定されることが予期されていたからである。当該課金は、自身の私的利用のためのオーディオ記録媒体への音楽作品の記録に対する、ブランクのオーディオ記録媒体の製造者及び輸入者によって支払われる報酬である。当該報酬は、これらの音楽作品に関連する権利を所有する者（作曲者、著者、実演家及びプロデューサ）のためのものである。
【０００５】
現在の市場の現実において、殆どのＣＤレコーダはＰＣ周辺機器として利用され、これらの光ディスクドライブは、用途にかかわらず記録のための全てのタイプのＣＤ−Ｒディスクを受け入れる。近年、多くの国においてオーディオ課金がブランクのデータＣＤ−Ｒディスクにも設定されるようになっている。その理由は、ＰＣドライブがしばしばオーディオＣＤのコピーのために、又はインターネット上の音楽サイトからの無料ダウンロードのために利用されていることである。
【０００６】
音楽が適切な支払いに対してダウンロードされることができる、音楽会社による制御下にある音楽サイトを開発する、研究開発及びマーケティングにおける多くの努力が実行されている。インターネットはこのとき音楽の販売のための独立した配布チャネルである。販売された音楽は通常、例えばＭＰ３、ＡＡＣ又はＷＭＡのような一般的な圧縮アルゴリズムの１つによって圧縮された圧縮オーディオである。ダウンロードは、着脱可能な又は着脱可能でない、種々の記憶メディアに対して為されることができる。明らかに、関心のある着脱可能な記憶メディアの１つはＣＤ−Ｒである。
【０００７】
セキュアなレコーダは、アプリケーションプログラムに対して自身をセキュアな装置として識別するための多くの準備（例えばコンテンツ業界、音楽会社及びハードウェア業界の間の協定によって定義されるようなもの）を持ち、該レコーダはセキュアな方法でディスクに書き込む。一般に利用可能な解決方法は、ドライブ及びアプリケーションのセキュアな認証のための暗号化されたインタフェース、又はセキュアでない装置による読み出しをブロックするためにディスクに保存される暗号化されたデータである。
【発明の開示】
【発明が解決しようとする課題】
【０００８】
欧州特許出願公開ＥＰ１０８１６９８Ａ２は、ディジタルデータが記録された、予め記録されたアドレスデータを有する記録担体を開示している。前記予め記録されたアドレスデータの一部は、インクリメンタルな順序で前記記録担体に連続的に記録される代わりに、予め設定された変換規則に従って変換された後に前記記録担体に保存される。当該記録担体を利用することにより、音楽作品の不正なコピーは防止されることができる。当該記録担体は、前記予め記録されたアドレスデータが前記記録担体に保存される前に変換されるという事実のため、前記予め記録されるアドレスデータが前記ディジタルデータと同期していないという不利点を持つ。
【０００９】
本発明の目的は、音楽作品の不正なコピーをサポートしない記録担体を提供することにある。
【課題を解決するための手段】
【００１０】
本目的は、誤り保護（error protection）パリティビットが、標準化されたフォーマットに従った誤り保護パリティビットから逸脱した記録担体によって達成される。
【００１１】
誤り保護パリティビットを、標準化されたフォーマットに従った誤り保護パリティビットから逸脱させることにより、変更されたレコーダにおいてのみ利用されることができる記録担体が実現される。現在利用可能なレコーダは当該記録担体を利用することができない。なぜならば、前記記録担体に存在する誤り保護パリティビットはこのタイプのレコーダによっては正しく解釈されず、ディスクに保存されたアドレスデータ中の多数の誤りの正しくない検出に帰着するからである。その結果、前記レコーダは当該記録担体への情報の記録を開始しない。
【００１２】
本発明による記録担体は、１回目にブランクの記録担体に対する課金による、及び２回目にセキュアなダウンロード手順による、前記記録担体に保存されるべきコンテンツの二重支払いが回避されることができるという更なる利点を持つ。当該記録担体はセキュアなアプリケーションの場合、セキュアなレコーダによってのみ記録されることができるため、もはやブランクの記録担体に対して課金を設定する必要がない。
【００１３】
本発明による記録担体の実施例においては、誤り保護パリティビットは、誤り保護パリティビットが標準化されたフォーマットに従った検査多項式から逸脱した検査多項式を利用して算出される点において逸脱する。本実施例による記録担体は、利用される検査多項式において逸脱することにより、ブランクの記録担体に既に存在するアドレスデータと、前記記録担体に記録された又は記録されるべき情報のサブコードアドレスとの間の１対１の関係が維持されるという利点を持つ。好適な実施例においては、前記標準化されたフォーマットはＣＤ−Ｒフォーマットであり、利用される検査多項式は、
【００１４】
Ｐ（Ｘ）＝Ｘ１４＋Ｘ１２＋Ｘ１１＋Ｘ１０＋Ｘ４＋Ｘ３＋Ｘ２＋１
である。
【００１５】
他の実施例においては、前記標準化されたフォーマットはＣＤ−Ｒフォーマットであり、前記誤り保護パリティビットは、全てではない誤り保護パリティビットが反転される点において逸脱する。
【００１６】
好適な実施例においては、最初の１０個の誤り保護パリティビットが反転され、最後の４個の誤り保護パリティビットが反転されない。本好適な実施例による記録担体は、誤り保護パリティビットの反転におけるこの選択を為すことにより、ＣＤ−Ｒフォーマットの規定に従って定義されるような誤り保護データフィールドに対応する、誤り保護パリティビットを保持する誤り保護データフィールドが無いという利点を持つ。
【００１７】
他の好適な実施例においては、アドレス情報がプリグルーブをウォブル状にすることにより前記記録担体に記録されるか、又はアドレス情報がプリピット（pre-pit）として前記記録担体に記録される。
【００１８】
本発明は更に、誤り訂正手段が標準化されたフォーマットに従う誤り保護パリティビットから逸脱した誤り保護パリティビットを利用してアドレスデータビット中の誤りを検出するように構成される、記録担体に情報を保存する装置に関する。
【発明を実施するための最良の形態】
【００１９】
以下において、本発明は添付する図を参照しながら詳細に説明される。
【００２０】
欧州特許出願公開ＥＰ０２６５９８４Ａ１（＝ＰＨＮ１２．０６３）は、アドレス情報が情報記録領域に予め記録された、情報を記録するための光読み取り可能な記録担体を開示している。前記記録担体は、前記情報記録領域において、一定の幅の螺旋形のグルーブ（groove）又はリッジ（ridge）を構成するトラックのパターンを示す。当該螺旋形のグルーブ又はリッジは、周波数がディジタル位置情報信号を用いて変調された、周期的なトラック変調を示す。前記グルーブにおける前記周期的なトラック変調は、グルーブウォブルとも呼ばれる。これらの教示は、数ある中でも、良く知られた標準化されたＣＤ−Ｒディスクにおいて利用される（この記録担体の規定は「Orange Book」とも呼ばれる）。この先行技術の記録担体は図１に模式的に示される。記録担体１は、半径方向のウォブルを持つ、一定の幅の螺旋のグルーブ２を有するトラックパターンを示す。明確さのために、前記螺旋及び前記半径方向のウォブルのピッチは強く誇張されている。一般に、螺旋の経路の連続する巻のピッチは概ね１乃至２μｍの大きさの程度である。
【００２１】
標準化されたＣＤ−Ｒディスク（１．６μｍのピッチを持つ）は、ＣＤレコーダのための必要な制御情報を含むこのグルーブウォブル信号を伴って製造される。前記レコーダは、スピンドルモータが正しい速度で回転するように維持するために、前記グルーブウォブルの搬送波周波数を利用する。ＣＤ−Ｒにおいては前記グルーブウォブルの搬送波周波数は２２．０５ｋＨｚである。前記レコーダは、前記ディスク上の現在の位置を確定するために前記搬送波周波数の変調を利用する。前記搬送波周波数の変調に保存される情報はＡＴＩＰ（Absolute Time in Pre-groove）情報として知られる。ＡＴＩＰ情報自身は、前記グルーブウォブルの１ｋＨｚの周波数変調として出現する。ＡＴＩＰ情報は図２に示すようなフォーマットを持つ。ＡＴＩＰ情報フレームは４２個のビットから成り、５つの部分から成る。即ち、シンク（Sync）フィールド３（４ビット）、分フィールド４（８ビット）、秒フィールド５（８ビット）、フレームフィールド６（８ビット）及びＣＲＣＣフィールド７（１４ビット）である。このＣＲＣＣフィールド７はパリティビットを有し、当該パリティビットは巡回冗長検査符号（Cyclic Redundancy Check Code）において利用される。ＣＤ−Ｒフォーマットの規定によれば、これらのパリティビットは全て反転される。
【００２２】
符号ワードは、分フィールド４、秒フィールド５及びフレームフィールド６中に情報を有し、ＣＲＣＣフィールド７中に前記パリティビットを有する。当該巡回冗長検査符号（ＣＲＣＣ）は、これらのフィールドに保存された情報中の誤りを検出するために利用される。フィールド４、５、６及び７に対応するＡＴＩＰ情報は、固定された検査多項式によって割り切れる必要がある。標準化されたＣＤ−Ｒディスクにおいては、利用される検査多項式は以下のようになる：
Ｐ（Ｘ）＝Ｘ１４＋Ｘ１２＋Ｘ１０＋Ｘ７＋Ｘ４＋Ｘ２＋１
【００２３】
上述したように、ＣＤ−Ｒにおいては、ＡＴＩＰ情報フレームは４２個のビットから成り、そのうち３８ビットはＣＲＣ符号によって保護される（前記シンクフィールドは保護されない）。前記検査多項式の利用は、以下の例を用いて説明される。ビット文字列ａを考える。このビットストリームは、分フィールド４、秒フィールド５、フレームフィールド６及びＣＲＣＣフィールドに存在する情報を有する。本例においてこれらのフィールドの内容は以下のようになる：
分フィールド４：10101001
秒フィールド５：00101000
フレームフィールド６：10100100
ＣＲＣＣフィールド７：01010111111111
これは以下のビット文字列ａに帰着する：
ａ＝10101001
00101000 10100100 01010111111111
ビット文字列ａがＣＤ−Ｒフォーマットの規定に従った符号ワードであるか否かを決定するために、全てのパリティビットが反転され、以下のビット文字列ｃに帰着する：
ｃ＝10101001
00101000 10100100 10101000000000
正当な符号ワードは前記検査多項式によって割り切れる必要がある。このことは以下のことを意味する。ビット文字列ｃは多項式ｃ（ｘ）に対応する。ビット文字列ｃの最も左側のビットはｃ（ｘ）におけるｘ３７の係数に対応し、ビット文字列ｃの最も右側のビットはｘ０の係数に対応する。本例においては、このことは以下の多項式ｃ（ｘ）に帰着する：
ｃ（ｘ）＝ｘ３７＋ｘ３５＋ｘ３３＋ｘ３０＋ｘ２７＋ｘ２５＋ｘ２１＋ｘ１９＋ｘ１６＋ｘ１３＋ｘ１１＋ｘ９
多項式ｃ（ｘ）は、ｃ（ｘ）が検査多項式Ｐ（ｘ）の倍数である場合、Ｐ（ｘ）によって割り切れる。本例においては、（ｘ２３＋ｘ９）Ｐ（ｘ）＝ｃ（ｘ）により容易に算出されるように、このことが当てはまる。加算はモジュロ２であるという事実のため、ｘ２３Ｐ（ｘ）及びｘ９Ｐ（ｘ）における項ｘ２３は互いに相殺されることに留意されたい。検査多項式Ｐ（ｘ）による多項式ｃ（ｘ）の乗算の実装の一方法は、例えばRichard E. Blahutによる「Theory and practice of error control codes」（1983年、6.2節及び6.3節）より当業者に知られているように、シフトレジスタ回路を利用することによるものである。
【００２４】
本発明による記録担体の第１の実施例においては、ＣＲＣ検査のために異なる多項式が選択される。本実施例は以下の理由により有利である。即ち、ブランクのディスクのＡＴＩＰアドレスと記録された情報のサブコードアドレスとの間の１対１の関係が維持され、利用可能なＩＣに対して駆動ＩＣにおける最小の回路追加のみが必要であり、ＡＴＩＰ情報中に利用されるＣＲＣを短い時間で検出することが可能である。図３は本実施例におけるＡＴＩＰ情報フレームのフォーマットを示す。図２と比較して、ＣＲＣＣフィールドのみが変更されている。ＣＲＣＣフィールド８はＣＲＣ符号ワードを含み、該ＣＲＣ符号ワードは、ＣＤ−Ｒフォーマットの規定において利用される検査多項式から逸脱した検査多項式によって割り切れる必要がある。適切な多項式は以下のようになることがわかっている：
Ｐ（Ｘ）＝ｘ１４＋ｘ１２＋ｘ１１＋ｘ１０＋ｘ４＋ｘ３＋ｘ２＋１
【００２５】
既に述べたように、ＣＤ−Ｒフォーマットの規定によれば、ＣＲＣ符号ワードのパリティビットは全て反転される。本発明による記録担体の第２の実施例においては、前記多項式の算出の後にパリティの部分だけが反転される。図４は、ＣＤ−Ｒフォーマットの規定において定められるような、標準化されたＣＤ−Ｒにおいて利用されるようなＣＲＣＣフィールドを示す。本図において、ビットｂ１乃至ｂ１４の全てが反転されることが示される。図５は本発明による記録担体の第２の実施例によるＣＲＣＣフィールドを示す。本実施例による記録担体においては、全てのパリティが反転されるわけではなく、パリティビットｂ１乃至ｂ１０のみが反転される。
【００２６】
パリティビットｂ１乃至ｂ１０のみが反転される本第２の実施例において、いずれの古い符号のワード（即ちＣＤ−Ｒフォーマットによる符号ワード）も、少なくとも４つの位置において、図５によるＣＲＣ符号において利用されるいずれの符号ワードとは異なることがわかる。結果として、ＡＴＩＰフレーム毎に３個までのビット誤りがある場合でも、本第２の実施例による記録担体は、標準的な現在利用可能なＣＤ−Ｒレコーダによって記録されることができない。なぜなら、当該記録担体に存在する、ＣＲＣ符号によって保護された３８個のビットから成る符号ワードは、ＣＤ−Ｒフォーマットの規定により定義されるような符号ワードに対応しないからである。それ故、当該記録担体から読み出された符号ワードが３個以下のビット誤りを有する場合、該符号ワードは標準的な現在利用可能なＣＤ−Ｒレコーダによって実行されるＣＲＣ検査を通過しない。かような場合において、従来のＣＤ−ＲレコーダはＡＴＩＰフレームを読み取り、３８個のビットがＣＤ−Ｒフォーマットの規定に従って定義されるような符号ワードに対応するか否かを検査する。このことは、前記パリティビットを反転させることによって、及び前記符号ワードがＣＤ−Ｒフォーマットの規定において定められた検査多項式によって割り切れるか否かを検査することによって為される。前記符号ワードがＣＤ−Ｒフォーマットの規定によって定義されるような符号ワードに対応しないとき、前記符号ワードは定められた検査多項式によっては割り切れることはなく、従来のＣＤ−Ｒレコーダは結果として前記記録担体への情報の記録を開始しない。本第２の実施例は更に、第１の実施例について述べたものと同一の理由により有利である。
【００２７】
本発明による記録担体の第３の実施例においては、第１の実施例及び第２の実施例において述べられた両方の手段が組み合わせられる。即ち、前記多項式の算出の後にパリティの一部のみが反転され、かつ異なる多項式が選択される。
【００２８】
図６は、本発明による記録担体に情報を保存する装置を示す。記録装置９は、記録担体１に情報を書き込むための、通例のタイプの書き込みヘッド１０を有する。書き込みヘッド１０は検出可能な変化を持つマークを導入することが可能な通例のタイプのものであっても良い。前記装置は更に符号化器１４を有する。信号線１５は、符号化されるべき情報を符号化器１４に伝送する。符号化の後、結果の変調されたバイナリチャネル信号は、該信号を記録担体１に保存するために書き込みヘッド１０へ送られる。前記情報を保存する前に、書き込みヘッド１０は最初に前記記録担体に存在するアドレス情報を読み出す。前記アドレス情報に含まれるアドレスデータビットを利用して、前記情報が保存されるべき前記記録担体上の位置が得られる。
【００２９】
書き込みヘッド１０はまた、前記記録担体に存在する、ＰＣＭ符号化されたオーディオ情報のような情報を読み出すことができるように構成されることもできる。前記情報の読み出しの後、検出回路１１は当該情報をバイナリ信号に変換し、該信号は誤り訂正器１２に供給される。誤り検出器１２は、標準化されたフォーマットに従う誤り保護パリティビットから逸脱した誤り保護パリティビットを利用して、前記アドレスデータビット中の誤りを検出するように構成される。誤り訂正の後、前記情報は復号化器１３において復号化される。
【００３０】
本発明は上述した実施例に限定されるものではなく、誤り保護された予め記録されたアドレスデータを有する全ての記録可能なメディアに適用されることができる。これらのタイプのディスクとして例えばＣＤ−ＲＷディスク又はＤＶＤ＋ＲＷディスクは、プリグルーブ中に保存された予め記録されたアドレスデータを有する。プリグルーブの代わりに、アドレスデータは例えば標準化されたＤＶＤ−ＲＡＭ又はＤＶＤ−ＲＷディスクから知られるプリピットのような、他の方法によって記録担体に保存されても良い。
【００３１】
「有する（「comprises」/「comprising」）」という語は請求項を含む本明細書において利用される場合、述べられた特徴、完全体、ステップ又は構成要素の存在を規定するものとして考慮され、１以上の他の特徴、完全体、ステップ、構成要素又はこれらの群の存在又は追加を除外するものではないことは留意されなければならない。更に、請求項における要素に先行する「１つの（「a」又は「an」）」という語は、複数のかような要素の存在を除外するものではないことは留意されなければならない。
【００３２】
更に、いずれの参照記号も本発明の範囲を限定するものではない。本発明はハードウェアとソフトウェアとの両方によって実施化されることができ、幾つかの「手段」はハードウェアの同一のアイテムによって表されても良い。更に、本発明は各及び全ての新奇な特徴又は特徴の組み合わせに存する。
【図面の簡単な説明】
【００３３】
【図１】周期的なトラック変調を示す成型されたグルーブ又はリッジを持つ記録担体を示す。
【図２】ＣＤ−Ｒディスク上のＡＴＩＰフレームのフォーマットを示す。
【図３】本発明による記録担体の第１の実施例によるＡＴＩＰ情報フレームのフォーマットを示す。
【図４】ＣＤ−Ｒディスクにおいて利用されるようなＣＲＣＣフィールドを示す。
【図５】本発明による記録担体の第２の実施例によるＣＲＣＣフィールドを示す。
【図６】本発明による記録担体に情報を保存する装置を示す。
【図１】
2005516326.tif 000003
【図２】
2005516326.tif 000004
【図３】
2005516326.tif 000005
【図４】
2005516326.tif 000006
【図５】
2005516326.tif 000007
【図６】
2005516326.tif 000008
【国際調査報告】
2005516326.tif 000009
2005516326.tif 000010
2005516326.tif 000011
2005516326.tif 000012